(57)【要約】      （修正有）【課題】壁体内部に装着ができて施工性が高い配管支持ユニットの形成。【解決手段】構造材の長手部分を分割し、その各切り離し端に組み込んで一構造材として再形成する配管支持ユニットであって、切り離した構造材端部に装着できる装着構造端１ａ、１ｂと、両装着構造端中間に設けるＵ字状板材から成り、端面を立ち上げてできる保持側板１２に、外側から配管する規格された管材９またはその管包被体を填め込む管ガイド部と弾性機能を生じさせる狭隘側板８ａと管材収納空間７ａとを一対づつ順次形成する管挿着部を並設する管挿着構造１０とを構成すると共に、管包被体の半開式グロメットを、その環状体を切り離した一方端を半固定し他方端を自由端に整形し、切り離し部分を包被なし管材の配管後に包被可能の構造に構成した。【選択図】図１
0003142363.tif 000002
【実用新案登録請求の範囲】
【請求項１】
管材を装着、保持するために壁体内構造材の長手部分を分割し、その切り離し端に挿設しまたは分割構造部分に代替させ、元の全長となる一構造材として再形成する、大壁構造内に収納容易な配管支持ユニットであって、切り離した構造材端部（２ａ、２ｂ）に嵌着可能とする装着構造端（１ａ、１ｂ）と、その中間に延設する側断面ほぼＵ字ないしコの字状の両保持側板（１２）に、配管する規格された管材（９）またはその管包被体（５）を、構造材軸芯に直交して管保持可能に形成する管ガイド部（７）を一または複数並設した管挿着部（１０ａ、１０ｂ、‥）を設けて成る管挿着構造（１０）とを配管支持ユニット（１）本体に構成し、管ガイド部（７）と管材収納空間（７ａ）との間に狭隘側板（８ａ）を付設した保持側板（１２）を形成して該狭隘側板に弾性機能を付与したことを特徴とする大壁構造内に収納容易な配管支持ユニット。
【請求項２】
管包被体（５）が、装着配管外縁部を定形に形成する現場形成管カバー、縦割れ半開式の管保護汎用カバーまたは半開式グロメットから選択して管材（９）に付設して管ガイド部（７）に装着可能とするものであって、その半開式グロメット（５）が、その環状体を切り離し、その一方端を保持側板（１２）に固定可能にし、他方端を自由端に整形したグロメット両端部（１５、１６）を、半開して管材収納空間（７ａ）に装着後の管材（９）を包被する半固定式構造に構成したことを特徴とする請求項１記載の大壁構造内に収納容易な配管支持ユニット。
【考案の詳細な説明】
【技術分野】
【０００１】  本考案は、配管類を布設位置に保持固定するために配管を支持する固定具にあたり、建築構造、特に既存室内に、配管設備を必要とする間仕切り構造付き改造を行う場合に、その改造価値を高める配管支持技術に関するものである。
【背景技術】
【０００２】  管やコード、棒状体を含む管材を構造物施設内に配管施工する場合、管材を整列して固定、支持するハンガー、バンド、ブラケット（以下、管ホルダ類という）が用いられる。これらは配管の姿勢維持機能の保持価値と同程度に、施工コストに係る施工容易性、工期短縮が評価され、また短い改築期間が予想される事例では再改築容易性に価値がある。従来例では、図７に示すように、柱や梁の構造材外側に取付台１７の脚部をボルトまたはビス１７ａ止めし、該取付台上にＵ字状配管バンド１８を構造材２の下孔１９を介して管材９を保持するようにボルト・ナット１８ａ締めをする構成の配管バンド架台２０を設けていた。【０００３】  従来の管ホルダ類は、大構造物内の広い床下、天井裏空間や工場の真壁構造の柱間に露出配管する前提で、構造物外側に固定する台座上に管材載架構造が作られた。
ところがテナント向け建物の貸室には間仕切改築が伴う。そこに設ける配管は、露出させるか、管材を隠すために、上げ床や下げ天井、壁裏に配管代を設ける仕上げ壁を作る。
露出配管方式は室内の美観を損ね、配管隠蔽式は配管作業性が悪く、その上、室内空間を狭くし、施工コストは高い。どの方式もテナント価値を損ねるという欠点があった。【０００４】  作業性と再改築容易性を配慮した改善策に、上部に管材を填め込むガイド端を持つ半開の挿入口とそれに続いて配管抱時部を設ける技術が現れ、配管並列固定と汎用性や作業性に留意したビス止めの少ない配管支持具（特許文献１）、ワイヤハーネスなどの取付の際にビス固定不要とした線状体固定具（特許文献２）、複数異径管が保持でき、寸法許容誤差が広く、美観を損ねない配管固定具（特許文献３）などが提案されている。【０００５】  上記先願技術で作業性は高まったが、露出配管では室内美観は高まらず、配管隠蔽式に用いても配管代を狭くする改善効果は得られず、大壁構造からなるテナント建物の間仕切りに充分有効な技術まで向上しいないという問題がある。
ところでテナント建物の間仕切り構造には、側断面外径４３×６５寸法前後の軽量角管が多用され、その６５ｍｍ外面を配管が貫通する側板に活用すれば、配管公称径２５Ａや４０Ａを角管軸芯に直交する配管として収容可能であることを知った。
【特許文献１】特開２００５−１３３８８２号公報
【特許文献２】特許第３６９６７６０公報
【特許文献３】特許第３８１３２７６号公報
【考案の開示】
【考案が解決しようとする課題】
【０００６】  解決しようとする問題点は、管ホルダ類収納の配管代が、取付台取付け代に加えてバンド占有間とが成す総長以上には縮まらない点、その上に配管の施工性確保の必要から、天井裏や床下を狭くできない点、大壁壁体内に隠蔽容易な管ホルダ類が得られない点である。
【課題を解決するための手段】
【０００７】  本考案は、構造材の長手部分を分割し、その各切り離し端に挿設し一構造材として再形成する配管支持ユニットを、大壁内の構造材を隠蔽する空間内部に構成できる構造にしたことを最も主要な特徴とする。また二次元加工が行える板材を用い、管ガイド部と管材収納空間との間に狭隘側板を設けて弾性機能を付与し、管ガイド部を隔離する管材支持部が一対二個所と成る保持側板を形成したことを特徴とする。
【考案の効果】
【０００８】  本考案は、構造材の長手方向仕上がり長さを基準長さとし、一旦、基準長さを切断し、その中間または切断端に、挿設する配管支持ユニットを加えて元の基準長さに再形成するので、該ユニットの側板高さが配管を貫通させる構造材の設置面高さ以内である限り、隠蔽配管ができる。該側板高さが前記設置面高さ以上の配管を行う場合であっても、構造材と壁面板の間に壁厚を僅かに加えるゲタを設けるだけで、隠蔽配管できるので、テナント室内の有効空間を大きく損なはない。
また本考案は、一定間隔隔離の側板二枚をＵ字型に配在、形成したので、配管管材の姿勢維持を容易にできる。その上、ユニット構成材は二次元加工可能の板状で形成するので製造容易であり、ユニット本体の取付や配管固定用のビス止めやボルト・ナット止めを不要とする填め込みや打ち込みなどを適用して最短工程による組立を可能にした。【０００９】  汎用性付与の本考案として、予め異種管径用を並列に設けた管挿着部を形成して、配管支持ユニットを規格化できる。別手法では、同一大きさの公称配管径用管挿着部を複数並設し、該管挿着部に収納可能とする最大管径以下の異種径配管を配管できる管包被体を填め込むことにより、現場での配管径変更に対処できる、という効果がある。半開式、半固定式の専用グロメットの管包被体では、狭隘側板周りのグロメット弾性機能に可塑性が加わって管材保持が安定化するという効果を示す。
【考案を実施するための最良の形態】
【００１０】  大壁壁体内に隠蔽容易な大きさの管材支持機構を構成し、かつ施工性を損なわないという目的を、壁内構造材の長手長さとその断面大きさを基準に、構造材に装着、固定するための、断面大きさと長さを決めた管材支持機構両端に設ける装着構造端と、それら中間に延在する側面板に、管材の二点支持可能にほぼＵ字形の板状体を二次元加工して構成して実現した。
【実施例】
【００１１】  図１は、本考案の配管支持ユニットの基本構造全体を一実施例によって説明するもので、（Ａ）は側面図、（Ｂ）は正面図、（Ｃ）は（Ｂ）のＡ−Ａ゛矢視図である。ここに９と１２は、同図全てに同じであり、１ａ、１ｂ、２ａおよび２ｂは同図（Ａ）、（Ｂ）に同じである。同図（Ａ）において２は、配管支持ユニット１の本体を装着構造端１ａ、１ｂを、切り離し端の構造材端部２ａ、２ｂに装着して一構造材として再形成する構造材である。１２は、前記装着構造端に延在して、上部に管材９を狭隘側板８ａの弾性機能を作用させて異径管９ａないし９ｄを嵌着し、正位置に収納した後は管材離脱が生じないように狭隘側板８ａを復元させる管挿着部１０ａないし１０ｄを複数設けるとともに、該管挿着部下部に円形のノックアウト加工部１１を複数、付設する保持側板である。同図（Ｂ）に示すように保持側板１２は図示上下に同形の側面加工が成された二面が形成さる。ユニット本体１の底板には、構造材両面に壁面板が施工され、室内側から壁材に釘打ち又はビス止めを行う内装施工時に、大壁内に固定された配管支持ユニット１にビス類先端が衝突して内装施工の妨げにならないための、長孔状受け孔４ｃである。同図（Ｃ）に示す１０は、管材収納空間７ａに管材９保持の状態を示す管挿着構造である。【００１２】  このユニット本体１を構成したので、大壁構造材内に隠蔽して配管保持できると共に、配管の管材自身の剛性がユニット側面板の補強に役立ち得ることも明瞭になった。【００１３】  図２は、本考案ユニットの補強構造の応用例を説明する実施例２を示す側断面図であって、ほぼコの字状に加工した板状補強材３を前記ユニット本体下部の両保持側板１２に当面させて外部からキーやリベット打ち込み止め、又は接着剤塗布止めにしたものである。【００１４】  補強構造を付加できるので、ユニット本体が孔加工によって生じる座屈現象の抑止強化に役立ち、水平配管時には、補強構造が配管荷重の一部を負担させることができる。【００１５】  図３は、本考案ユニット本体に配管管材の現場形成管カバー、縦割れ半開式の管保護汎用カバーまたは半開式グロメット類などの管包被体を装着して管材収納空間を設ける実施例３を示す側断面図であって、４はグロメット類であり、この図示下部にはここに図示しない切断面が左右を通して設けられており、切断端を開角して上方から管に嵌着させて前記管挿着部に挿着可能となる。なお、ここに記載するグロメット類４は、後述する半開式で半固定式の専用グロメットと異なり、環状切り放しっぱなし構造形式のみのグロメットを指す。【００１６】  このようにグロメット類４の装着は、配管管材９の座りを向上させると共に、空気配管において生じ易いサージング現象、弁開閉時に起因するウオーターハンマーなどの振動や発生音響を減衰し易くし、騒音抑止効果が期待できる。【００１７】  図４は、本考案ユニット本体にグロメット類を装着する実施例４の全体構成を説明し、（Ａ）はその側面図、（Ｂ）はその側面板加工に係る部分側面図、（Ｃ）は専用グロメット挿着状態を示す部分側面図である。ここに、同図（Ａ）に示す４ａは、ここに図示しない線状体を挿通させる貫孔７ｂに嵌設して該線状体を保持する、断���環状体に切れ目を持たないグロメット、７ｃは環状体切断両端部を切り離し、一端を固定する半固定式にした半開式グロメット５（以下、専用グロメットという）に、後述する袖部の付設キーを差し込ませるための止めキー孔である。【００１８】  同図（Ｂ）に示す７は、保持側板１２の先端に設ける管ガイド部であって、狭隘側板８ａに延在して形成して、静止状態で保持する管材を管材収納空間７ａ内に係止する。ここに同一大きさの管挿着部を並列させて、かつ複数の異径管材に適合させる場合には、該管材収納空間の中心は側面板上面位置から距離ｈ１、その中心からさらに距離ｈ２下がった位置または中心角θ位置で、かつ該中心から偏芯距離ｅの各寸法は、所定の規格寸法に統一して加工してある。
同図（Ｃ）に示す１３は、専用グロメット５の外フランジであって、該専用グロメットの切断面の一方に設けた、フランジ外方に付設する袖部付きのグロメット帯端部１５を前記止めキー孔に固定し、他方の専用グロメット帯端部１６を管材収納空間７ａの内側に填め込んで固定する。ここに図示するαは、管材外径が所定管径の管材から他の異種管材外径に変更があった場合に、専用グロメット帯端部１６の装着移動代を示す。該専用グロメット帯端部位置が前記ｈ２範囲内にあれば収納管材の管保持は有効である。【００１９】  以上の構成により、後述する専用グロメット５の構造が、異種管径管材の収納、支持に適応可能になり、施工現場における配管系の変更や、配管支持ユニット本体１のユニバーサル様式の規格化が行えるので、専用グロメットの規格品と併用して量産可能となる。【００２０】  図５は、本考案ユニットの、専用グロメット構造を説明し、（Ａ）はその側断面図、（Ｂ）は（Ａ）のＡ−Ａ矢視図である。同図に示す１４は、外フランジ１３に対応して前記保持側板を挟着する内フランジ、管材収納空間７ａに該当管材を装着する場合、両フランジのブリッジ部材内側の配管当接面１４ａは、管外径に密着して管を拘束し、前記グロメット帯端部に設ける袖部８に一体的に埋込み、外フランジ１３の内側面にほぼ直角状に突起させた付設キー６は、その中間にキー溝６ａを形成して、そのキー孔との相互効果によって移動阻止を確実にしている。１３ａは、外フランジ１３の内側面にフランジ中心側では広く、円周側には狭くして、肉厚部の材厚が薄くなるように窪みを凹状加工してあるくさび形溝である。管材装着時に外フランジ１３の外周長を一定長さにしたとき、フランジ内周長さに前記α寸法の可変長の変化が生じるように加工するものである。専用グロメット５は、ゴムや高分子材料の内、弾性を呈示する材質を素材として加工、製造する。【００２１】  環状体を切断して構成する専用グロメット５は、該内径直径と外径直径の差を、くさび型溝の変形を介してグロメット内外径の変化に対応させる伸縮性を得る。従って管材当接面やグロメット袖部８の変形、外フランジ外周面の素材強度を劣化させるなどの悪影響を発生する懼れはない。また専用グロメット５は一端が固定される構成であり、管ガイド部７の外に支持管材９が抜け落ちることが決して生じないブリッジ効果を発揮する。【００２２】  上記した構成で、本考案のユニット本体１と付設する管包被体５を用いて構造体２に設置する配管支持ユニットの施工状態を、図６に示す。ここに配管収納される管材９が、構造体内部に隠蔽配管支持可能であるので配管施工の美観を云々する必要も、前後の壁面に管材９を密着させる懼れもともにない配管ができて、設備機能を発揮できることを示す。【００２３】  このように構造材の一部に化体させた配管支持ユニット１であるので、配管固定前の仮止め布設効果も得られ、一部を利用せず、その他の管挿着部を利用するようにした管挿着構造１０を設けたり、専用グロメット５を適正に選択設置することによって、離れた隣接構造材に組み込む配管支持ユニット１と連係して、勾配を必要とする配管を混在させるなどの配管布設調整を実施できる。
【産業上の利用可能性】
【００２４】  本考案ユニットは、間仕切り構造材以外の、鐙金物、方杖、筋違いなどの様式に適合する構造材の一部に代替させる補助構造材として活用することも可能である。
【図面の簡単な説明】
【００２５】
【図１】本考案の、壁体内に収納容易な配管支持ユニットの基本構造を説明するもので、（Ａ）はその一実施例を示す側面図、（Ｂ）は同じくその正面図、（Ｃ）は（Ｂ）のＡ−Ａ゛矢視図である（実施例１）。
【図２】本考案ユニットの、補強応用例を説明し、その要部を示す側断面図である（実施例２）。
【図３】本考案ユニットの、管包被体を説明し、その要部を示す側断面図である（実施例３）。
【図４】本考案ユニットの、専用グロメット装着時の構造を説明するもので、（Ａ）はその一実施例を示す側面図、（Ｂ）は専用グロメット挿着ユニット本体に係る部分側面図、（Ｃ）は専用グロメット挿着状態を示す部分側面図である（実施例４）。
【図５】本考案ユニットの、専用グロメット構造を説明するもので、（Ａ）はその側断面図、（Ｂ）は（Ａ）のＡ−Ａ矢視図である。
【図６】本考案ユニットの取付施工例を説明し、装着実施例を示す側面図である。
【図７】従来技術を説明し、その取付実施例を示す側面図である。
【符号の説明】
【００２６】  １                配管支持ユニット、ユニット本体
１ａ、１ｂ        装着構造端（構造材へ挿入）
２                構造材
３                補強材
４                グロメット類
４ａ              切れ目のないグロメット（閉じた環リング）
４ｃ              受け孔（内装具止め受けポケット）
５                管包被体（カバー、グロメット）、専用グロメット
６                付設キー
７                管ガイド部
７ａ              管材収納空間
８                袖部
８ａ              狭隘側板
９                管材（規格品）
１０                管挿着構造
１０ａ‥。１０ｄ    管挿着部
１２                保持側板
１３                外フランジ（円弧グロメットの）
１３ａ              くさび形溝（外フランジ加工の）
１４ａ              配管当接面
１５                袖部付きグロメット帯端部
２０                配管バンド架台
【図１】
0003142363.tif 000003
【図２】
0003142363.tif 000004
【図３】
0003142363.tif 000005
【図４】
0003142363.tif 000006
【図５】
0003142363.tif 000007
【図６】
0003142363.tif 000008
【図７】
0003142363.tif 000009